(57)【要約】【課題】ユーザが時計を使用する意思を持っていない場合に、消費電力を抑制することが可能な印字装置及び制御プログラムを提供する。【解決手段】時間情報の計時が行われていない状態で、時計情報の設定の操作又は時間印字形式の設定の操作が行われた場合、第二振動子４１５の動作が開始される。第二振動子４１５は、第一振動子４１４が生成する第一クロック信号より周波数が低い第二クロック信号を生成する。ＣＰＵ４０１は、第二クロック信号を使用して時間情報の計時を行う。同様に、計時が行われていない状態で、時計印字準備の設定の操作がされ、且つ、印字実行の操作がされた場合、第二振動子４１５の動作が開始され、計時が行われる。言い換えると、時間情報の設定の操作、時間印字形式の設定の操作、時計情報の印字実行の操作が行われるまでは、第二振動子４１５は動作せず、時間情報の計時が行われない。【選択図】図５
2012139864.tif 000002
【特許請求の範囲】
【請求項１】
第一クロック信号を生成する第一クロック生成手段を備え、前記第一クロック生成手段が生成する前記第一クロック信号を使用して動作し、印字の対象物である印字対象物に印字を行う印字装置において、
年情報、月情報、日情報、曜日情報、及び時刻情報のうちの少なくとも一を含む時計情報を使用するための操作である時計操作を検出する操作検出手段と、
前記操作検出手段によって前記時計操作が検出された場合に、前記第一クロック信号より周波数の低い第二クロック信号を生成する第二クロック生成手段による前記第二クロック信号の生成を開始させるクロック生成開始手段と、
前記クロック生成開始手段によって生成が開始された第二クロック信号を使用して動作し、前記時計情報を計時する計時手段と
を備えたことを特徴とする印字装置。
【請求項２】
前記操作検出手段によって検出される時計操作は、前記時計情報を前記印字対象物に印字するための所定の設定を行う操作を含むことを特徴とする請求項１に記載の印字装置。
【請求項３】
前記操作検出手段によって検出される前記時計操作は、前記時計情報の前記印字対象物への印字を実行する操作を含むことを特徴とする請求項１または２に記載の印字装置。
【請求項４】
前記操作検出手段によって検出される前記時計操作は、前記時計情報の設定の操作を含むことを特徴とする請求項１から３のいずれかに記載の印字装置。
【請求項５】
前記時計情報を使用しないことについての操作である非使用操作を検出する非使用操作検出手段と、
前記非使用操作検出手段によって前記非使用操作が検出された場合に、前記第二クロック生成手段による前記第二クロック信号の生成を停止する第一停止手段と
を備えたことを特徴とする請求項１から４のいずれかに記載の印字装置。
【請求項６】
前記非使用操作検出手段によって検出される前記非使用操作は、前記時計情報の計時を停止する操作を含むことを特徴とする請求項５に記載の印字装置。
【請求項７】
前記印字装置に着脱可能に設けられた、前記印字装置の電源である電池と、
ユーザによって設定された、前記印字対象物に印字を行うキャラクタの情報であるキャラクタ情報を記憶するキャラクタ情報記憶手段と、
前記電池が前記印字装置に取り付けられている場合に、前記電池から供給される電荷を蓄え、前記電池が前記印字装置から取り外された場合に、蓄えた前記電荷に基づく電力を前記キャラクタ情報記憶手段に供給する蓄電手段と、
前記非使用検出手段によって、前記非使用操作が検出され、前記第一停止手段によって、前記第二クロック信号の生成が停止された場合に、前記蓄電手段に前記電荷が蓄えられている間に前記第一クロック生成手段による前記第一クロック信号の生成を停止させる第二停止手段と
を備え、
前記非使用操作検出手段によって検出される前記非使用操作は、前記電池が前記印字装置から取り外される取り外し操作を含むことを特徴とする請求項５または６のいずれかに記載の印字装置。
【請求項８】
第一クロック信号を生成する第一クロック生成手段を備え、前記第一クロック生成手段が生成する前記第一クロック信号を使用して動作し、印字の対象物である印字対象物に印字を行う印字装置において実行される制御プログラムであって、
印字装置のコントローラに、
年情報、月情報、日情報、曜日情報、及び時刻情報のうちの少なくとも一を含む時計情報を使用するための操作である時計操作を検出する操作検出ステップと、
前記操作検出ステップによって前記時計操作が検出された場合に、前記第一クロック信号より周波数の低い第二クロック信号を生成する第二クロック生成手段による前記第二クロック信号の生成を開始させるクロック生成開始ステップと、
前記クロック生成開始ステップによって生成が開始された第二クロック信号を使用して動作し、前記時計情報を計時する計時ステップと
を実行させることを特徴とする制御プログラム。
【発明の詳細な説明】
【技術分野】
【０００１】
本発明は、時計機能を有する印字装置及び制御プログラムに関する。
【背景技術】
【０００２】
従来、複数のクロック信号を用いて動作する装置が知られている。例えば、特許文献１に記載の回路選択装置では、比較的周波数の高いメインクロックと、メインクロックより周波数の低いサブクロックとで動作している。そして、メインクロックに基づいてプログラム処理を高速で実行するメインクロックモードと、サブクロックに基づいて、プログラム処理を低速で実行するサブクロックモードと、サブクロックに基づいて時計回路のみ計時動作を実行する時計モードとを切り替えている。また、メインクロックモードにおいてメインクロックが動作している間も、サブクロックは動作している。
【先行技術文献】
【特許文献】
【０００３】
【特許文献１】特開２００１−２３７９８１号公報
【発明の概要】
【発明が解決しようとする課題】
【０００４】
しかしながら、上記回路選択装置では、少なくともサブクロックは常に動作しているため、サブクロックが動作するための電力が常に消費されている。このため、例えば、ユーザが時計機能を使用することを望んでいない場合でも、サブクロックを動作させるための電力が消費され続けているため、消費電力が大きくなるという問題点があった。
【０００５】
本発明の目的は、ユーザが時計を使用する意思を持っていない場合に、消費電力を抑制することが可能な印字装置及び制御プログラムを提供することである。
【課題を解決するための手段】
【０００６】
本発明の第１の態様に係る印字装置は、第一クロック信号を生成する第一クロック生成手段を備え、前記第一クロック生成手段が生成する前記第一クロック信号を使用して動作し、印字の対象物である印字対象物に印字を行う印字装置において、年情報、月情報、日情報、曜日情報、及び時刻情報のうちの少なくとも一を含む時計情報を使用するための操作である時計操作を検出する操作検出手段と、前記操作検出手段によって前記時計操作が検出された場合に、前記第一クロック信号より周波数の低い第二クロック信号を生成する第二クロック生成手段による前記第二クロック信号の生成を開始させるクロック生成開始手段と、前記クロック生成開始手段によって生成が開始された第二クロック信号を使用して動作し、前記時計情報を計時する計時手段とを備えている。
【０００７】
この場合において、操作検出手段によって時計操作が検出された場合、第二クロック生成手段による第二クロック信号の生成が開始される。そして、計時手段によって、時計情報の計時が行われる。言い換えると、時計操作が検出されるまでは、第二クロック生成手段による第二クロック信号の生成が開始されず、第二クロック生成手段は電力を消費しない。また、計時手段は、計時を行わず、電力を消費しない。このため、ユーザが時計操作をしない場合、言い換えると、ユーザが時計情報を使用する意思を持っていない場合に、消費電力を抑制することができる。
【０００８】
前記印字装置において、前記操作検出手段によって検出される時計操作は、前記時計情報を前記印字対象物に印字するための所定の設定を行う操作を含んでもよい。この場合において、時計情報を印字対象物に印字するための所定の設定を行う操作が検出された場合、第二クロック信号の生成が開始され、計時情報の計時が行われる。つまり、ユーザが時計情報を印字対象物に印字するための所定の設定を行う操作をしない場合に、消費電力を抑制することができる。
【０００９】
前記印字装置において、前記操作検出手段によって検出される前記時計操作は、前記時計情報の前記印字対象物への印字を実行する操作を含んでもよい。この場合において、時計情報を印字対象物に印字を行う操作が検出された場合、第二クロック信号の生成が開始され、時計情報の計時が行われる。つまり、ユーザが時計情報を印字対象物に印字を行う操作をしない場合に、消費電力を抑制することができる。
【００１０】
前記印字装置において、前記操作検出手段によって検出される前記時計操作は、前記時計情報の設定の操作を含んでもよい。この場合において、時計情報の設定の操作が検出された場合、第二クロック信号の生成が開始され、計時情報の計時が行われる。つまり、ユーザが時計情報の設定の操作をしない場合に、消費電力を抑制することができる。
【００１１】
前記印字装置は、前記時計情報を使用しないことについての操作である非使用操作を検出する非使用操作検出手段と、前記非使用操作検出手段によって前記非使用操作が検出された場合に、前記第二クロック生成手段による前記第二クロック信号の生成を停止する第一停止手段とを備えてもよい。この場合において、非使用操作が検出された場合、第二クロック生成手段による第二クロックの生成が停止される。このため、ユーザが時計を使用しない意思を持った場合に、消費電力を抑制することができる。
【００１２】
前記印字装置において、前記非使用操作検出手段によって検出される前記非使用操作は、前記時計情報の計時を停止する操作を含んでもよい。この場合において、時計情報の計時を停止する操作がされた場合、消費電力を抑制することができる。
【００１３】
前記印字装置は、前記印字装置に着脱可能に設けられた、前記印字装置の電源である電池と、ユーザによって設定された、前記印字対象物に印字を行うキャラクタの情報であるキャラクタ情報を記憶するキャラクタ情報記憶手段と、前記電池が前記印字装置に取り付けられている場合に、前記電池から供給される電荷を蓄え、前記電池が前記印字装置から取り外された場合に、蓄えた前記電荷に基づく電力を前記キャラクタ情報記憶手段に供給する蓄電手段と、前記非使用検出手段によって、前記非使用操作が検出され、前記第一停止手段によって、前記第二クロック信号の生成が停止された場合に、前記蓄電手段に前記電荷が蓄えられている間に前記第一クロック生成手段による前記第一クロック信号の生成を停止させる第二停止手段とを備え、前記非使用操作検出手段によって検出される前記非使用操作は、前記電池が前記印字装置から取り外される取り外し操作を含んでもよい。
【００１４】
この場合において、電池が取り外された場合、第二クロック生成手段による第二クロック信号の生成が停止される。また、第一クロック生成手段による第一クロック信号の生成も停止される。このため、蓄電手段に蓄えられた電力が、第一クロック生成手段と第二クロック生成手段とで消費されることがない。よって、蓄電手段は、キャラクタ情報記憶手段により長時間電力を供給することができる。よって、より長時間の間、キャラクタ情報記憶手段に記憶されたキャラクタ情報が消去されることを防止できる。このため、例えば、電池を交換して、再び電池を取り付けた場合でも、電池を取り外す前のキャラクタ情報が保持される。
【００１５】
本発明の第２の態様に係る制御プログラムは、第一クロック信号を生成する第一クロック生成手段を備え、前記第一クロック生成手段が生成する前記第一クロック信号を使用して動作し、印字の対象物である印字対象物に印字を行う印字装置において実行される制御プログラムであって、年情報、月情報、日情報、曜日情報、及び時刻情報のうちの少なくとも一を含む時計情報を使用するための操作である時計操作を検出する操作検出ステップと、前記操作検出ステップによって前記時計操作が検出された場合に、前記第一クロック信号より周波数の低い第二クロック信号を生成する第二クロック生成手段による前記第二クロック信号の生成を開始させるクロック生成開始ステップと、前記クロック生成開始ステップによって生成が開始された第二クロック信号を使用して動作し、前記時計情報を計時する計時ステップとを実行させる。この場合、ユーザが時計操作をしない場合、言い換えると、ユーザが時計情報を使用する意思を持っていない場合に、消費電力を抑制することができる。
【図面の簡単な説明】
【００１６】
【図１】カバー６が閉じられた状態にある印字装置１の斜視図である。
【図２】カバー６が開かれた状態にある印字装置１及びテープカセット３０の斜視図である。
【図３】上ケース３１Ａが取り外された状態にあるテープカセット３０と、印字位置にあるローラホルダ１８とを示す平面図である。
【図４】テープカセット３０の斜視図である。
【図５】印字装置１の電気的構成を示すブロック図である。
【図６】状態テーブル８１を示す模式図である。
【図７】メイン処理を示すフローチャートである。
【図８】設定処理を示すフローチャートである。
【図９】設定処理を示すフローチャートである。
【図１０】印字処理を示すフローチャートである。
【発明を実施するための形態】
【００１７】
以下、本発明を具体化した実施の形態について、図面を参照して説明する。なお、参照する図面は、本発明が採用しうる技術的特徴を説明するために用いられるものであり、記載されている装置の構成などは、それのみに限定する趣旨ではなく、単なる説明例である。
【００１８】
図１〜図３を参照して、本実施形態に係る印字装置１の概略構成について説明する。本実施形態の説明では、図１及び図２の右上側、左下側、右下側、左上側、上側、下側を、それぞれ、印字装置１の後側、前側、右側、左側、上側、下側とする。
【００１９】
図１に示すように、印字装置１の上面には、キャラクタ（文字、記号及び数字等）を入力するためのキーボード３が設けられている。キーボード３の後側（紙面右上側）には、電源キー４１１（図５参照）、決定キー、印字キー等を含む機能キー群４が設けられている。以下の説明では、電源キー４１１以外の機能キー群４とキーボード３とを総称する場合、入力部９１という。機能キー群４の後側には、入力したキャラクタ等を表示するためのディスプレイ５が設けられている。印字装置１の上面の後部には、開閉可能なカバー６が設けられている。カバー６は、カバー６の後端部の左右方向を支点として開閉自在である。印字装置１の左後角には、カットされた印字済みテープ５０（図４参照）を受けるテープトレイ７が設けられている。
【００２０】
図２〜図３に示すように、ディスプレイ５の後側には、カセット装着部８が形成されている。カセット装着部８には、テープカセット３０が上下方向に着脱される。カセット装着部８には、リボン巻取軸９が立設されている。リボン巻取軸９は、リボンスプール４２から引き出されて文字等の印字に使用された後のインクリボン６０を巻取る。リボン巻取軸９の左前方には、正面視で略矩形状のヘッドホルダ７４が立設されている。ヘッドホルダ７４の前面には、フィルムテープ５９に文字等を印字するサーマルヘッド１０が取り付けられている。ヘッドホルダ７４の左方には、テープ駆動軸１１が立設されている。
【００２１】
カセット装着部８の前側には、可動搬送ローラ１４とプラテンローラ１５とを備えたローラホルダ１８が配設されている。ローラホルダ１８は、板部１３によって被覆されている。ローラホルダ１８は、ホルダ軸１８１を中心に回動可能に軸支されている。可動搬送ローラ１４及びプラテンローラ１５は、それぞれテープ駆動ローラ４６及びサーマルヘッド１０に対向する位置に配置されている。
【００２２】
カバー６が下方に閉じられると、ローラホルダ１８は後方に回動し、図３に示す印字位置に移動する。印字位置では、プラテンローラ１５がサーマルヘッド１０に圧接され、且つ、可動搬送ローラ１４がテープ駆動ローラ４６に圧接されている。ローラホルダ１８が印字位置にある場合、印字装置１は、カセット装着部８に装着されたテープカセット３０を用いた印字動作が可能となる。カバー６が上方に開かれると、ローラホルダ１８は前方に回動し、サーマルヘッド１０及びテープ駆動ローラ４６から離間する。この場合、カセット装着部８にテープカセット３０を着脱自在となる。
【００２３】
次に、図３から図４を参照して、本実施形態に係るテープカセット３０の構造について説明する。本実施形態のテープカセット３０は、感熱タイプ、レセプタータイプ、ラミネートタイプ等、各種のテープ種類に実装可能な汎用カセットを、ラミネートタイプに実装している。本実施形態の説明では、図４の左上側、右下側、右上側、左下側、上側、下側を、それぞれ、テープカセット３０の後側、前側、右側、左側、上側、下側とする。
【００２４】
図４に示すように、テープカセット３０は、全体としては平面視で丸みを帯びた角部を有する略直方体状（箱型）の筐体であるカセットケース３１を有している。カセットケース３１は、下ケース３１Ｂと上ケース３１Ａとを有する。図３に示すように、カセットケース３１内の左側後部には、巻回された両面粘着テープ５８が配置されている。右側後部には、巻回された透明なフィルムテープ５９が配置されている。右側前部には、リボンスプール４２に巻回されたインクリボン６０が配置されている。
【００２５】
カセットケース３１内における両面粘着テープ５８とリボンスプール４２との間には、リボン巻取スプール４４が回転可能に配置されている。リボン巻取スプール４４は、リボンスプール４２からインクリボン６０を引き出すとともに、文字等の印字にて使用されたインクリボン６０を巻き取る。
【００２６】
図４に示すように、カセットケース３１の前部のうち、テープカセット３０右側から左方に延びる部位をアーム部３４という。アーム部３４の先端部には、開口３４Ａが形成されている。フィルムテープ５９とインクリボン６０とは、開口３４Ａで重ね合わされて搬送される。
【００２７】
アーム部３４の後側には、カセットケース３１を上下方向に貫通する平面視略長方形状の空間であるヘッド挿入部３９が設けられている。ヘッド挿入部３９には、印字装置１のサーマルヘッド１０（図３参照）を支持するヘッドホルダ７４が挿入される。サーマルヘッド１０は、インクリボン６０を使用してフィルムテープ５９への印字を行う。
【００２８】
図３に示すように、ヘッド挿入部３９の下流側にはテープ駆動軸１１（図３参照）によって回転駆動されるテープ駆動ローラ４６が回転可能に軸支されている。テープ駆動ローラ４６は、対向する可動搬送ローラ１４と協働して、フィルムテープ５９を引き出し、両面粘着テープ５８を引き出し、フィルムテープ５９の印字面に両面粘着テープ５８をガイドして接着させる。接着されたフィルムテープ５９と両面粘着テープ５８は、テープ排出口４９から排出され、印字済みテープ５０となる。なお、本実施形態では、印字済みテープ５０には、時計情報やキャラクタが印字される。時計情報は、年情報、月情報、日情報、曜日情報、及び時刻情報を含む。
【００２９】
図５を参照して、印字装置１の電気的構成について説明する。印字装置１は、各機器を制御するＣＰＵ４０１、ＲＯＭ４０２、ＣＧＲＯＭ４０３、及びＲＡＭ４０４を備えている。ＲＯＭ４０２、ＣＧＲＯＭ４０３、及びＲＡＭ４０４は、ＣＰＵ４０１に電気的に接続されている。
【００３０】
ＲＯＭ４０２は、プログラム記憶領域４０２１を少なくとも備えている。プログラム記憶領域４０２１には、ＣＰＵ４０１が印字装置１を制御するために実行する各種プログラムが記憶されている。ＲＡＭ４０４は、印字情報記憶領域４０４１を少なくとも備えている。また、ＲＡＭ４０４には、テキストバッファ等、他の複数の記憶領域が設けられている（図示外）。印字情報記憶領域４０４１には、印字を行うためのキャラクタや時計情報等が記憶される。ＣＧＲＯＭ４０３には、キャラクタを印字するための印字用ドットパターンデータが記憶されている。
【００３１】
印字装置１は、入力部９１、液晶駆動回路（ＬＣＤＣ）４０５、及び駆動回路４０６、４０７、４０８を備えている。入力部９１、液晶駆動回路（ＬＣＤＣ）４０５、及び駆動回路４０６、４０７、４０８は、ＣＰＵ４０１に電気的に接続されている。駆動回路４０６は、サーマルヘッド１０を駆動するための電子回路である。駆動回路４０７は、リボン巻取軸９及びテープ駆動軸１１を回転させるテープ送りモータ２４を駆動するための電子回路である。駆動回路４０８は、印字済みテープ５０を切断する移動刃（図示外）を動作させるカッターモータ２５を駆動するための電子回路である。液晶駆動回路（ＬＣＤＣ）４０５は、ディスプレイ５に表示データを出力するためのビデオＲＡＭ（図示外）を有する。
【００３２】
印字装置１は、電池４０９、電源回路４１０、電源キー４１１、電圧検出回路４１２、コンデンサ４１３、第一振動子４１４、及び第二振動子４１５を備えている。ＣＰＵ４０１は、内部に第一振動子用回路４０１１を備えている。電池４０９は、電圧検出回路４１２と電源回路４１０とに電気的に接続されている。電圧検出回路４１２は、ＣＰＵ４０１と電気的に接続されている。ＣＰＵ４０１は、電圧検出回路４１２を介して、電池４０９の電圧を検出することができる。
【００３３】
電源回路４１０は、ＣＰＵ４０１、ＲＡＭ４０４、電源キー４１１、第一振動子用回路４０１１に電気的に接続されている。なお、電源回路４１０は、他の各種回路にも接続されるが、図示は省略している。電源回路４１０がＣＰＵ４０１及びＲＡＭ４０４に接続される経路は、コンデンサ４１３の一方の端子と電気的に接続されている。コンデンサ４１３の他方の端子は、グラウンドと電気的に接続されている。コンデンサ４１３は、電源回路４１０から供給される電荷を蓄電する。言い換えると、コンデンサ４１３は、電力を蓄電する。また、コンデンサ４１３は、ＣＰＵ４０１とＲＡＭ４０４に供給される電力に発生し得る電気的なノイズを除去し、電源回路４１０からＣＰＵ４０１とＲＡＭ４０４とに安定した電力を供給できるようにする。また、コンデンサ４１３は、印字装置１から電池４０９が取り外された場合に、蓄電した電力が無くなるまでの間（例えば、７分間）、ＲＡＭ４０４に電力を供給し、ＲＡＭ４０４の記憶領域に記憶されているデータが消去されてしまうことを防止する。コンデンサ４１３の容量は、例えば、４７００μＦである。
【００３４】
第一振動子４１４は、ＣＰＵ４０１内部の第一振動子用回路４０１１と電気的に接続されている。第二振動子４１５と電源キー４１１とは、ＣＰＵ４０１と電気的に接続されている。第一振動子４１４は、第一クロック信号を生成する振動子である。第一クロック信号は、第二クロック信号（後述）より高い周波数（例えば、３０ＭＨｚ）のクロック信号である。ＣＰＵ４０１は、第一クロック信号を使用して後述するメイン処理等を行う。第二振動子４１５は、第二クロック信号を生成する振動子である。第二クロック信号は、第一クロック信号より低い周波数（例えば、３２．７６８ｋＨｚ）のクロック信号である。ＣＰＵ４０１が時計情報の計時を行う場合、第二クロック信号を使用する。
【００３５】
第一振動子４１４と第二振動子４１５との動作状態と、印字装置１の消費電力との関係について説明する。まず、図６における状態テーブル８１について説明する。状態テーブル８１に示すように、第一振動子４１４と第二振動子４１５とが共に停止している印字装置１の状態を、「第一状態」という。第一振動子４１４が停止し、第二振動子４１５が動作している状態を、「第二状態」という。第一振動子４１４が動作し、第二振動子４１５が停止している状態を、「第三状態」という。第一振動子４１４と第二振動子４１５とがともに動作している状態を、「第四状態」という。
【００３６】
図６において、第一振動子４１４が動作している場合、メイン処理が行われており、第一振動子４１４が停止している場合、メイン処理が行われていない。また、第二振動子４１５が動作している場合、時計情報の計時が行われており、第二振動子４１５が動作していない場合、時計情報の計時が行われていない。また、メイン処理が行われていない第一状態及び第二状態では、印字装置１はいわゆる「電源オフ」の状態である。メイン処理が行われている第三状態及び第四状態では、印字装置１は、いわゆる「電源オン」の状態である。
【００３７】
メイン処理を行うための印字装置１の消費電力は、時計情報の計時を行うための消費電力より大きい。また、第一振動子４１４単体の消費電力は、第二振動子４１５単体の消費電力より大きい。このため、第一状態から第四状態に向かうほど、印字装置１の消費電力が大きくなる。詳細には、第一状態は、最も消費電力が小さい状態であり、第二状態は、２番目に消費電力が小さい状態である。第三状態は、３番目に消費電力が小さい状態であり、第四状態は、最も消費電力が大きい状態である。
【００３８】
図５及び図６を参照して、印字装置１の電源制御について説明する。印字装置１が出荷された時の状態（以下、「出荷状態」という。）は、第一状態である。電池４０９が印字装置１に取り付けられ、印字装置１を使用するためにユーザが電源キー４１１を操作すると、電源回路４１０に信号が伝達される。信号が伝達された電源回路４１０は、電池４０９から供給される電力を使用して、各種の回路用の電源を生成して供給する。電源回路４１０は、ＣＰＵ４０１内部の第一振動子用回路４０１１に電力の供給を行う。電力が供給された第一振動子用回路４０１１は、第一振動子４１４に動作を開始させる。第一振動子４１４の動作が開始された後、電源回路は、ＣＰＵ４０１に電力を供給する。ＣＰＵ４０１は、既に動作を開始している第一振動子４１４が生成する第一クロック信号を使用して、メイン処理（図７参照）を行う。このようにして、第一状態から第三状態に移行する。
【００３９】
ＣＰＵ４０１は、第二振動子４１５の動作を制御することができる。ＣＰＵ４０１が、第二振動子４１５の動作を開始させると、第三状態から第四状態に移行する。ＣＰＵ４０１は、第二振動子４１５が生成する第二クロック信号を使用して、時計情報の計時を行う。ＣＰＵ４０１が、時計情報の計時を停止し、第二振動子４１５の動作を停止させると、再び第三状態に移行する。
【００４０】
印字装置１が、第四状態の場合に、電源キーが操作されると、ＣＰＵ４０１は、第一振動子４１４の停止を行うように電源回路４１０を制御する。そして、第一振動子４１４の動作の停止と共にメイン処理を終了し、第二状態に移行する。この場合、第二振動子４１５は動作しており、ＣＰＵ４０１は、時計情報の計時を継続する。言い換えると、いわゆる電源オフ状態でも、時計情報の計時は継続されている。このため、電源キーが再び操作され、印字装置１が第四状態になった場合、印字装置１は、正確な時計情報を計時している。なお、印字装置１が第三状態の場合に、電源キーが操作されると、第一状態に移行する。この場合は、時計情報の計時は行われていない。上述のように、印字装置１の電源制御が行われる。なお、電源オンの状態において、電池４０９が取り外された場合については、後述する。
【００４１】
次に、図７〜図１０のフローチャートを参照して、印字装置１のＣＰＵ４０１によるメイン処理について説明する。メイン処理は、電源オフの状態（第一状態または第二状態）から、電源キーが操作され、電源オンの状態（第三状態または第四状態）に移行することを契機に開始される。
【００４２】
図７に示すように、メイン処理では、まず、初期化処理が行われ、各種パラメータ等が初期化される（Ｓ１１）。次いで、電源オフの操作（電源キー４１１の操作）が検出されたか否かが判断される（Ｓ１２）。電源オフの検出された場合（Ｓ１２：ＹＥＳ）、ＣＰＵ４０１は、電源回路４１０を制御し、第一振動子４１４の停止処理を行う（Ｓ２１）。そして、ＣＰＵ４０１は、第一振動子４１４が停止すると共にメイン処理を終了する。つまり、電源オンの状態から電源オフの状態に移行する。
【００４３】
電源オフの操作が検出されていない場合（Ｓ１２：ＮＯ）、電池４０９が取り外されたか否かが判断される（Ｓ１３）。電池４０９が取り外される場合、電圧検出回路４１２を介して検出される電池４０９の電圧が０Ｖとなる。ＣＰＵ４０１は、電圧が０Ｖとなったことを検出することで、電池４０９が取り外されたことを検出する。電池４０９が取り外されていない場合（Ｓ１３：ＮＯ）、印字実行の操作が検出されたか否かが判断される（Ｓ１４）。なお、ユーザは、入力部９１を介して、印字する任意のキャラクタ情報を入力した後、印字実行の操作をする。
【００４４】
印字実行の操作が検出されていない場合（Ｓ１４：ＮＯ）、設定処理が行われる（Ｓ１５）。図８を参照して、設定処理について説明する。設定処理は、各種の設定を行う処理である。
【００４５】
図８に示すように、設定処理では、まず、時計情報の設定の操作が検出されたか否かが判断される（Ｓ３１）。時計情報の設定の操作が検出された場合（Ｓ３１：ＹＥＳ）、ユーザが時計情報を設定するための画面（以下、「時計情報設定画面」という。）がディスプレイ５に表示される（Ｓ３２）。時計情報設定画面は、ユーザが、年情報、月情報、日情報、曜日情報、及び時刻情報を入力可能な画面である。例えば、ユーザは、例えば、「２０１０／１１／３０（火曜日）１２：００」と入力する。この場合、年情報「２０１０」、月情報「１１月」、日情報「３０日」、曜日情報「火曜日」、及び時刻情報「１２時００分」が入力されている。ユーザは、時計情報を入力後、入力部９１に含まれる決定キー（図示外）を操作する。
【００４６】
ステップＳ３２が実行された後、時計情報の設定が完了したか否かが判断される（Ｓ３３）。ステップＳ３３では、ＣＰＵ４０１は、ユーザによって決定キーが操作されたことを検出することで、時計情報の設定が完了したことを検出する（後述する、Ｓ３９、Ｓ６４において、各種の設定の完了を検出する場合も同様）。時計情報の設定が完了していない場合（Ｓ３３：ＮＯ）、処理はステップＳ３３に戻る。
【００４７】
時計情報の設定が完了した場合（Ｓ３３：ＹＥＳ）、現在計時中であるか否かが判断される（Ｓ３４）。第三状態である場合、計時中でないと判断され（Ｓ３５：ＮＯ）、第二振動子４１５の動作が開始される（Ｓ３５）。これによって、第二振動子４１５が第二クロック信号を生成する。次いで、第二振動子４１５が発生させる第二クロック信号を使用して、計時が開始される（Ｓ３６）。これによって、例えば、ステップＳ３３で入力された「２０１０／１１／３０（火曜日）１２：００」からの計時が開始される。つまり、ステップＳ３１の時計情報の設定の操作が検出される前までは停止されていた第二振動子４１５の動作が開始され（Ｓ３５）、計時が開始される（Ｓ３６）。言い換えると、時計情報の設定の操作が検出されるまでは、印字装置１は、第四状態より消費電力の小さい第三状態であり、消費電力が抑制されていたことになる。ステップＳ３６の処理が実行された後、処理はメイン処理のステップＳ１２に戻る。
【００４８】
ステップＳ３４の処理が行われる時点で、第四状態である場合、計時中であると判断され（Ｓ３４：ＮＯ）、ステップＳ３６の処理が行われる。この場合、例えば、ステップＳ３３で入力された「２０１０／１１／３０（火曜日）１２：００」からの計時が新たに開始される。
【００４９】
時計情報の設定の操作が検出されていない場合（Ｓ３１：ＮＯ）、時計印字形式の設定の操作が検出されたか否かが判断される（Ｓ３７）。時計印字形式とは、時計情報をフィルムテープ５９の印字するための所定の設定であり、例えば、時計情報を印字する際の年情報、月情報、日情報、曜日情報、及び時刻情報の並び方や、キャラクタの書式（文字の大きさや、文字の形状等）等である。
【００５０】
時計印字形式の設定の操作が検出された場合（Ｓ３７：ＹＥＳ）、ユーザが時計印字形式を設定するための画面（以下、「形式設定画面」という。）がディスプレイ５に表示される（Ｓ３８）。形式設定画面は、ユーザが時計印字形式の設定を行うための画面である。ユーザは、形式設定画面を参照して、例えば、年情報、月情報、日情報、曜日情報、及び時刻情報の並び方を入れ替えたり、時計情報を印字する場合のキャラクタの書式を変更したりできる。なお、形式設定画面では、時計情報の設定を行うこともできる。例えば、ユーザは、時計情報を設定すると同時に、年情報の位置を日情報と曜日情報との間に移動させ、「１１／３０／２０１０（火曜日）１２：００」と設定することができる。次いで、ユーザによる時計印字形式の設定が完了したか否かが判断される（Ｓ３９）。時計印字形式の設定が完了していない場合（Ｓ３９：ＮＯ）、処理はステップＳ３９に戻る。
【００５１】
時計印字形式の設定が完了した場合（Ｓ３９：ＹＥＳ）、ステップＳ３４が実行される。そして、第三状態であり計時中でない場合（Ｓ３４：ＮＯ）、ステップＳ３５とステップＳ３６が実行される。つまり、ステップＳ３７で時計印字形式の設定の操作が検出される前までは停止されていた第二振動子４１５の動作が開始され（Ｓ３５）、計時が開始されて、第四状態となる（Ｓ３６）。言い換えると、時計印字形式の設定の操作が検出されるまでは、印字装置１は、第四状態より消費電力の小さい第三状態であり、消費電力が抑制されていたことになる。
【００５２】
ステップＳ３７の処理において、時計印字形式の設定の操作が検出されていない場合（Ｓ３７：ＮＯ）、時計印字準備の設定の操作が検出されたか否かが判断される（Ｓ４０）。時計印字準備とは、時計情報をフィルムテープ５９に印字するための準備である。時計印字準備の設定の操作が検出された場合（Ｓ３７：ＹＥＳ）、時計印字データが印字情報記憶領域４０４１に記憶される（Ｓ４１）。時計印字データは、印字を行う場合に時計情報を印字することを示すデータである。Ｓ４１が実行されることで、時計情報の印字の準備がなされる。次いで、処理は、メイン処理のステップＳ１２（図７参照）に戻る。
【００５３】
時計印字準備の設定の操作が検出されていない場合（Ｓ４０：ＮＯ）、リセットの操作が検出されたか否かが判断される（Ｓ４２）。リセットの操作が検出された場合（Ｓ４２：ＹＥＳ）、種々の設定が、リセットされ、印字装置１の出荷状態に設定される（Ｓ４３）。このとき、ＣＰＵ４０１による計時動作も停止される。出荷状態では、計時をしない設定であるためである。つまり、リセットの操作は、時計情報の計時を停止する操作でもある。
【００５４】
次いで、第二振動子４１５が動作中であるか否かが判断される（Ｓ４４）。第二振動子４１５が動作中でない場合（Ｓ４４：ＮＯ）、処理はメイン処理のステップＳ１２（図７参照）に戻る。第二振動子４１５が動作中である場合（Ｓ４４：ＹＥＳ）、第二振動子４１５の動作が停止される（Ｓ４５）。次いで、ＣＰＵ４０１による計時が停止される（Ｓ４６）。これによって、第四状態から第三状態に移行する。つまり、第二振動子４１５の電力消費と、計時を行うための電力消費がなくなる。よって、電池４０９を使用して、より長時間、印字装置１を使用することができる。
【００５５】
次いで、他の操作（詳細には、電源オフ、電池取り外し、印字実行、時計情報設定、時間印字形式の設定、時計印字準備の設定、リセット以外の操作）がされたか否かが判断される（Ｓ４７）。他の操作が検出された場合（Ｓ４４：ＹＥＳ）、ステップＳ４７の操作に関する処理が行われる（Ｓ４８）。ステップＳ４８が実行された後、または、他の操作が検出されていないと判断された場合（Ｓ４７：ＮＯ）、処理はメイン処理のステップＳ１２（図７参照）に戻る。
【００５６】
図７において、印字実行の操作が検出された場合（Ｓ１４：ＹＥＳ）、ユーザによって入力された印字を行うキャラクタ情報が、印字情報記憶領域４０４１に記憶される（Ｓ１６）。以下の説明では、ユーザによって入力されたキャラクタ情報は「ＡＢＣＤ」の文字列であるとする。次いで、印字処理が行われる（Ｓ１７）。
【００５７】
図１０を参照して、印字処理について説明する。印字処理は、フィルムテープ５９に印字を行って、印字済みテープ５０を作成する処理である。
【００５８】
図１０に示すように、印字処理では、まず、ステップＳ４１（図９参照）で記憶された時計印字データが、印字情報記憶領域４０４１に記憶されているか否かが判断される（Ｓ６１）。言い換えると、時計情報を印字するか否かが判断される。時計印字データが、印字情報記憶領域４０４１に記憶されていない場合（Ｓ６１：ＮＯ）、印字が行われ、印字済みテープ５０が作成される（Ｓ６７）。この場合、印字済みテープ５０には、例えば、ステップＳ１６で記憶されたキャラクタ情報「ＡＢＣＤ」の文字列が印字される。
【００５９】
時計印字データが、印字情報記憶領域４０４１に記憶されている場合（Ｓ６１：ＹＥＳ）、時計情報を計時中であるか否かが判断される（Ｓ６２）。例えば、ステップＳ３６（図８参照）等で、計時が開始されていれば、時計情報を計時中であると判断され（Ｓ６２：ＹＥＳ）、印字が行われ、印字済みテープ５０が作成される（Ｓ６７）。例えば、ステップＳ３６（図８参照）で、「２０１０／１１／３０（火曜日）１２：００」から計時が開始され、現在の時計情報が、「２０１０／１２／１（水曜日）１０：００」であるとする。この場合、現在の時計情報とステップＳ１６で記憶されたキャラクタ情報「ＡＢＣＤ」が印字される。よって、印字済みテープ５０には、「２０１０／１２／１（水曜日）１０：００  ＡＢＣＤ」と印字される。なお、ステップＳ３９（図８参照）において、ユーザが、年情報の位置を日情報と曜日情報との間に移動させた場合、印字済みテープ５０には、「１２／１／２０１０（水曜日）１０：００  ＡＢＣＤ」と印字される。
【００６０】
時計情報を計時中でない場合（Ｓ６２：ＮＯ）、時計情報設定画面がディスプレイ５に表示される（Ｓ６３）。次いで、時計情報の設定が完了したか否かが判断される（Ｓ６４）。時計情報の設定が完了していない場合（Ｓ６４：ＮＯ）、処理はステップＳ６４に戻る。
【００６１】
時計情報の設定が完了した場合（Ｓ６４：ＹＥＳ）、第二振動子４１５の動作が開始される（Ｓ６５）。これによって、第二振動子４１５が第二クロック信号を発生させる。次いで、第二振動子４１５が発生させる第二クロック信号を使用して、計時が開始される（Ｓ６６）。次いで、印字が行われ、印字済みテープ５０が作成される（Ｓ６７）。例えば、ユーザがステップＳ６４で、現在の時計情報として、「２０１０／１２／２（木曜日）９：３０」と設定し、ステップＳ６６で計時が開始されたとする。この場合、現在の時計情報とステップＳ１６で記憶されたキャラクタ情報「ＡＢＣＤ」が印字される。よって、印字済みテープ５０には、「２０１０／１２／２（木曜日）９：３０  ＡＢＣＤ」と印字される。なお、ステップＳ３９（図８参照）において、過去にユーザが、年情報の位置を日情報と曜日情報との間に移動させた場合、印字済みテープ５０には、「１２／２／２０１０（木曜日）１０：００  ＡＢＣＤ」と印字される。ステップＳ６７が実行された後、処理はメイン処理のステップＳ１２に戻る。
【００６２】
図７において、電源オンの状態において電池が取り外された場合（Ｓ１３：ＹＥＳ）、第二振動子４１５が動作中であるか否かが判断される（Ｓ１８）。なお、電池が取り外された場合、電池４０９からの電力の供給は停止される。しかし、コンデンサ４１３には、電力が蓄えられている。ＣＰＵ４０１は、この蓄えられた電力を使用して、ステップＳ１８を実行する（Ｓ１９、Ｓ２０、及びＳ２１も同様）。第二振動子４１５が動作中である場合（Ｓ１８：ＹＥＳ）、第二振動子４１５の動作が停止される（Ｓ１９）。次いで、ＣＰＵ４０１による計時が停止される（Ｓ２０）。ステップＳ２０が実行された後、または、第二振動子４１５が動作中でないと判断された場合（Ｓ１８：ＮＯ）、第一振動子４１４の動作の停止処理がされ（Ｓ２１）、メイン処理が終了される。このように、電池４０９が取り外された場合、第一振動子４１４と第二振動子４１５との動作は必ず停止され、印字装置１は、消費電力が最も小さい第一状態となる。
【００６３】
この場合、コンデンサ４１３に蓄えられている電力は、ＲＡＭ４０４に供給される。コンデンサ４１３によって電力が供給されるので、ＲＡＭ４０４の印字情報記憶領域４０４１等に記憶されているデータは消去されず、保持される。また、コンデンサ４１３に蓄えられている電力は、ＣＰＵ４０１、第一振動子４１４、及び第二振動子４１５では消費されない。よって、コンデンサ４１３は、ＣＰＵ４０１、第一振動子４１４、及び第二振動子４１５で電力が消費される場合に比べて、より長時間、ＲＡＭ４０４に電力を供給することができる。このため、例えば、ユーザが電池４０９を交換する場合、電池４０９を取り外して新たな電池４０９を取り付ける間に、ＲＡＭ４０４に記憶されているデータが消去されることを防止できる。このため、ユーザは、電池４０９を取り外す前にステップＳ１６で記憶されたキャラクタ情報を使用して、印字を行うことができる。
【００６４】
以上説明したように、本実施形態における処理が実行される。上記実施形態では、時計情報の設定の操作をユーザが行う場合、ユーザは、時計情報を使用する意思を持っているといえる。第二振動子４１５が動作していない状態で、時計情報の設定の操作が検出された場合（Ｓ３１：ＹＥＳ、図８参照）、第二振動子４１５が動作し（Ｓ３５）、第二クロック信号の生成が開始される。そして、ＣＰＵ４０１による計時が行われる（Ｓ３６）。言い換えると、ステップＳ３１の時計情報の設定の操作が検出されるまでは、第二振動子４１５による第二クロック信号の生成が開始されず、第二振動子４１５は、電力を消費しない。また、ＣＰＵ４０１は、計時を行わず、電力を消費しない。このため、ユーザが時計情報の設定の操作をしない場合、つまり、ユーザが時計情報を使用する意思を持っていない場合に、消費電力を抑制することができる。
【００６５】
同様に、ユーザが時間印字形式の設定の操作を行った場合、ユーザは、時計情報を使用する意思を持っているといえる。時計印字形式の設定は、時計情報を印字する際の年情報、月情報、日情報、曜日情報、及び時刻情報の並び方や、キャラクタの書式を変更するために行うからである。本実施形態では、第二振動子４１５が動作していない状態で、時間印字形式の設定の操作が検出された場合（Ｓ３７：ＹＥＳ、図８参照）、第二振動子４１５が動作する（Ｓ３５）。そして、ＣＰＵ４０１による計時が行われる（Ｓ３６）。言い換えると、ユーザが時間印字形式の設定の操作をしない場合、つまり、ユーザが時計情報を使用する意思を持っていない場合に、消費電力を抑制することができる。
【００６６】
同様に、時計印字データが印字情報記憶領域４０４１記憶されている状態で、ユーザが印字実行の操作をした場合、ユーザは、時計情報を使用する意思を持っているといえる。ユーザが、時計印字準備の設定の操作を行うことで（Ｓ４０：ＹＥＳ、図９参照）、時計印字データが印字情報記憶領域４０４１記憶されるからである（Ｓ４１）。本実施形態では、第二振動子４１５が動作していない状態で、印字実行の操作が検出された場合（Ｓ１４：ＹＥＳ、図７参照）、第二振動子４１５が動作する（Ｓ６５、図１０参照）。そして、ＣＰＵ４０１による計時が行われる（Ｓ６６）。言い換えると、ユーザが時計情報の印字実行の操作をしない場合、つまり、ユーザが時計情報を使用する意思を持っていない場合に、消費電力を抑制することができる。
【００６７】
また、Ｓ４１（図９参照）で時計印字データを記憶しても、時計実行の操作がされるまでは、Ｓ６５及びＳ６６（図１０参照）で計時が開始されない。このため、印字を実行する直前まで、消費電力を抑制することができる。
【００６８】
また、ユーザが、リセットの操作をする場合、ユーザは、時計情報を使用しない意思を持ったといえる。リセットの操作の操作は、計時情報の計時を停止する操作でもあるからである。本実施形態では、第二振動子４１５が動作している状態で、リセットの操作がされた場合（Ｓ４２：ＹＥＳ、図９参照）、第二振動子４１５の動作が停止され（Ｓ４５）、計時が停止される（Ｓ４６）。つまり、ユーザが時計を使用しない意思を持った場合に、消費電力を抑制することができる。
【００６９】
上記実施形態において、第一振動子４１４が、本発明の「第一クロック生成手段」に相当し、フィルムテープ５９が、本発明の「印字対象物」に相当する。図７のステップＳ１４、図８のステップＳ３１、及びステップＳ３７の処理を行うＣＰＵ４０１が、本発明の「操作検出手段」に相当し、ステップＳ１４、ステップＳ３１、及びステップＳ３７の処理で検出される操作が、本発明の「時計操作」に相当する。第二振動子４１５が、本発明の「第二クロック生成手段」に相当し、図８のステップＳ３５、図１０のステップＳ６５の処理を行うＣＰＵ４０１が、本発明の「クロック生成開始手段」に相当する。図８のステップＳ３６，図１０のステップＳ６６の処理で計時を開始し、計時を継続する処理を行うＣＰＵ４０１が本発明の「計時手段」に相当し、図７のステップＳ１３の処理及び図９のステップＳ４２の処理を行うＣＰＵ４０１が、本発明の「非使用操作検出手段」に相当する。ステップＳ１３で検出される電池の取り外し操作、ステップＳ４２で検出される操作が、本発明の「非使用操作」に相当する。図７のステップＳ１９及び図９のステップＳ４５の処理を行うＣＰＵ４０１が、本発明の「第一停止手段」に相当し、ＲＡＭ４０４が、本発明の「キャラクタ情報記憶手段」に相当する。コンデンサ４１３が、本発明の「蓄電手段」に相当し、図７のステップＳ２１の処理を行うＣＰＵ４０１が、本発明の「第二停止手段」に相当する。
【００７０】
図７のステップＳ１４、図８のステップＳ３１、及びステップＳ３７の処理が、本発明の「操作検出ステップ」に相当し、図８のステップＳ３５、図１０のステップＳ６５の処理が、本発明の「クロック生成開始ステップ」に相当する。図８のステップＳ３６，図１０のステップＳ６６で計時を開始し、計時を継続する処理が本発明の「計時ステップ」に相当する。
【００７１】
なお、本発明は上記の実施形態に限定されるものではなく、種々の変更が可能である。例えば、印字装置１は、テープ状の印字対象物であるフィルムテープ５９に印字を行う装置であるが、これに限定されない。例えば、印字対象物としてロール紙や、普通紙に印字を行う装置であってもよい。
【００７２】
また、ステップＳ４０（図９参照）で時計印字準備の設定の操作が検出された後、印字実行の操作が検出された場合に（図７のＳ１４：ＹＥＳ）、時計情報の設定がされ（図１０のＳ６４：ＹＥＳ）、第二振動子４１５の動作が開始される（図１０のＳ６５）が、これに限定されない。例えば、ステップＳ４０で時計印字準備の設定の操作が検出された時点で、時計情報の設定がされ、第二振動子４１５の動作が開始されてもよい。この場合、ステップＳ４０の処理によって検出される操作が、本発明の「時計操作」に相当する。
【００７３】
また、ステップＳ１３（図７参照）で、検出される電池４０９の電圧が０Ｖになった場合に、電池が取り外されたと判断されていたが、これに限定されない。例えば、機構的なスイッチ（例えば、スライドスイッチ）を操作した後に、電池４０９が取り外すことができるようにしてもよい。そして、ＣＰＵ４０１は、機構的なスイッチが操作された場合に、電池４０９が取り外されることを検出してもよい。この場合、実際に電池４０９が取り外される前に、電池４０９が取り外されることを検出できる。よって、ＣＰＵ４０１は、電池４０９が取り外される前に、ステップＳ１８〜ステップＳ２１（図７参照）を行うことができる。この場合、電池４０９から供給される電力を使用して、ステップＳ１８〜ステップＳ２１を行うことができる。コンデンサ４１３には、電力が蓄えられている電力を使用してステップＳ１８〜ステップＳ２１を行う必要がないので、より長時間、コンデンサ４１３からＲＡＭ４０４に電力を供給できる。
【００７４】
また、時計情報は、年情報、月情報、日情報、曜日情報、及び時刻情報を含んでいたが、これに限定されない。例えば、年情報、月情報、日情報、曜日情報、及び時刻情報のうちの少なくとも１を含んでいてもよい。
【００７５】
また、例えば、時計情報が設定された後に、第二振動子４１５の動作が開始されていた（Ｓ５４、Ｓ６５等）が、これに限定されない。例えば、本発明の時計操作が検出された場合に、第二振動子４１５の動作が開始され、その後、時計情報の設定がされてもよい。
【符号の説明】
【００７６】
１    印字装置
３０    テープカセット
５０    印字済みテープ
５９    フィルムテープ
８１    状態テーブル
４０１    ＣＰＵ
４０９    電池
４１１    電源キー
４１３    コンデンサ
４１４    第一振動子
４１５    第二振動子
４０１１    第一振動子用回路
【図１】
2012139864.tif 000003
【図２】
2012139864.tif 000004
【図３】
2012139864.tif 000005
【図４】
2012139864.tif 000006
【図５】
2012139864.tif 000007
【図６】
2012139864.tif 000008
【図７】
2012139864.tif 000009
【図８】
2012139864.tif 000010
【図９】
2012139864.tif 000011
【図１０】
2012139864.tif 000012